(57)【要約】【課題】  テープにリーダピンを取り付ける際にしわが発生し難いリーダピン取付装置および磁気テープの先端部処理装置ならびにリーダピン取付方法を提供する。【解決手段】  リーダテープＬＴの先端部ＬＴａにリーダピンＬＰを取り付けるリーダピン取付装置（磁気テープの先端部処理装置）であって、リーダテープＬＴの先端部ＬＴａをはみ出させた状態でリーダテープＬＴを吸着して保持する搬送吸着ブロック４１と、リーダテープＬＴの先端部ＬＴａを挟んでリーダピンＬＰとリーダピンクリップＬＣとを係合させるクランパ機構部５と、を備え、搬送吸着ブロック４１は、リーダテープＬＴの先端部ＬＴａを挟んでリーダピンＬＰとリーダピンクリップＬＣとを係合させるときに、リーダテープＬＴが長手方向に移動可能な吸着力でリーダテープＬＴを保持することを特徴とする。【選択図】      図５
2006228334.tif 000002
【特許請求の範囲】
【請求項１】
リーダテープの先端部にリーダピンを取り付けるリーダピン取付装置であって、
前記リーダテープの先端部をはみ出させた状態で該リーダテープを吸着して保持する吸着機構部と、
前記リーダテープの先端部を挟んでリーダピンとリーダピンクリップとを係合させるクランパ機構部と、を備え、
前記吸着機構部は、前記リーダテープの先端部を挟んでリーダピンとリーダピンクリップとを係合させるときに、前記リーダテープが長手方向に移動可能な吸着力で前記リーダテープを保持することを特徴とするリーダピン取付装置。
【請求項２】
前記吸着機構部は、前記リーダテープを長手方向に引いたときに０．３〜１．４Ｎの引張抵抗力が生じる吸着力で前記リーダテープを保持することを特徴とする請求項１に記載のリーダピン取付装置。
【請求項３】
前記リーダテープは、幅方向の弾性係数よりも長手方向の弾性係数の方が大であることを特徴とする請求項１または請求項２に記載のリーダピン取付装置。
【請求項４】
各リールから引き出された磁気テープおよびリーダテープをそれぞれ切断し、切断された磁気テープの接合端とリーダテープの接合端とを突き合わせてスプライステープにより接合すると共に、接合されたリーダテープを所定長さに切断する接合機構部と、
所定長さに切断されたリーダテープの先端部をはみ出させた状態で該リーダテープを吸着して搬送する搬送吸着機構部と、
搬送されたリーダテープの先端部を挟んでリーダピンクリップとリーダピンとを係合させるクランパ機構部とを備えた磁気テープの先端部処理装置であって、
前記搬送吸着機構部は、リーダテープを吸着可能に構成され、かつ、前記接合機構部に連続する始端位置から前記クランパ機構部に臨む終端位置へ移動可能に構成された吸着部材を有し、
前記吸着部材は、前記リーダテープの先端部を挟んでリーダピンとリーダピンクリップとを係合させるときに、前記リーダテープが長手方向に移動可能な吸着力で前記テープを保持することを特徴とする磁気テープの先端部処理装置。
【請求項５】
前記搬送吸着機構部は、前記接合機構部から前記クランパ機構部へ前記リーダテープを搬送するときの吸着力よりも、前記リーダテープの先端に前記リーダピンと前記リーダピンクリップとを係合させるときの吸着力の方が小さくなるように、前記吸着部材の吸着力を制御する吸着力制御部をさらに有することを特徴とする請求項４に記載の磁気テープの先端部処理装置。
【請求項６】
リーダテープの先端部をはみ出させた状態で該リーダテープを吸着して保持する吸着機構部と、
前記リーダテープの先端部を挟んでリーダピンとリーダピンクリップとを係合させるクランパ機構部と、を備えるリーダピン取付装置を用いて前記リーダテープの先端部に前記リーダピンを取り付けるリーダピン取付方法であって、
前記クランパ機構部に把持されたリーダピンとリーダピンクリップとの間に吸着機構部からはみ出したリーダテープの先端部を配置する第１工程と、
前記リーダテープの先端部を挟んでリーダピンとリーダピンクリップとを係合させる第２工程と、を含み、
前記第２工程において、前記リーダテープの先端部を挟んでリーダピンとリーダピンクリップとを係合させるときに、前記吸着機構部に保持されているリーダテープを、前記リーダピンに向かって移動させることを特徴とするリーダピン取付方法。
【発明の詳細な説明】
【技術分野】
【０００１】
本発明は、テープの先端部にリーダピンを取り付ける装置および磁気テープの先端部を処理する装置ならびにテープの先端部にリーダピンを取り付ける方法に関する。
【背景技術】
【０００２】
従来、コンピュータ等のデータバックアップ用の外部記録媒体として、ＬＴＯ（Linear Tape Open）規格に準拠した磁気テープカートリッジが知られている。この種の磁気テープカートリッジは、カートリッジケースの内部に磁気テープを巻装した単一のリールや、その他の部品を収容したものであり、カートリッジケースの側壁部分には、磁気テープの引出口が形成されている。そして、前記磁気テープの先端部にはスプライステープを介してリーダテープが接合され、このリーダテープの先端には、前記引出口から磁気テープを引き出すためのリーダピンがリーダピンクリップに嵌め込まれることで装着されている。このリーダピンは、前記カートリッジケース内の引出口の近傍に配設されたリーダピンバネによって両端部が係止されている。
【０００３】
リーダピンをリーダテープの先端部に取り付ける装置としては、例えば特許文献１に記載されたものがある。かかる装置は、磁気テープの端部とリーダテープの一端部を接合する接合機構部と、リーダテープの他端部を突出させた状態で該リーダテープを吸着して搬送する搬送吸着機構部と、搬送されたリーダテープの他端部を挟んで棒状のリーダピンと断面Ｃ字形のリーダピンクリップとを係合させるクランパ機構部とを備えている。
【特許文献１】特開２００３−３３８１５９号公報（段落００１１〜００３４、図３）
【発明の開示】
【発明が解決しようとする課題】
【０００４】
ところで、前記のような磁気テープカートリッジをドライブ装置にセットして使用すると、磁気テープカートリッジから磁気テープが引き出されてドライブ装置内の巻取リールに磁気テープが巻き取られた際に、巻取リールのハブに設けられたリーダピンの収納部とハブ表面との段差によって、巻き取られた磁気テープに段差（くせ）が付いてしまういわゆる「巻芯写り」という現象が生じることがある。かかる巻芯写り対策として、従来のリーダテープに替えて、これよりもテープ厚さと表面粗さの大きいリーダテープが使用されるようになってきている。
【０００５】
しかしながら、新規のリーダテープを用いて磁気テープカートリッジを生産すると、リーダテープの先端部にリーダピンをクランプさせたときに、図６に示すように、リーダテープＬＴにしわＷが発生してしまうことが判明した。リーダテープＬＴにしわＷが発生すると、磁気テープカートリッジを繰り返し使用した場合に、当該しわＷに応力が集中し、リーダテープＬＴが破損するおそれがある。
【０００６】
本発明は、かかる問題を解決するためになされたものであり、テープにリーダピンを取り付ける際にしわが発生し難いリーダピン取付装置および磁気テープの先端部処理装置ならびにリーダピン取付方法を提供することを課題とする。
【課題を解決するための手段】
【０００７】
しわＷの発生について原因を究明すべく、発明者が鋭意研究を重ねた結果、新規のリーダテープは、テープの長手方向の弾性係数（ＭＤ）と幅方向の弾性係数（ＴＤ）との比（ＭＤ／ＴＤ）が、従来のリーダテープのそれよりも大きく、このことが原因となってリーダテープにしわＷが発生するものと推測された。
より詳しく説明すると、新規のリーダテープは、テープの長手方向の弾性係数が幅方向の弾性係数よりもある程度大きいことが分かった。一方、リーダテープを挟んで棒状のリーダピンに断面略Ｃ字形のリーダピンクリップをはめ込んでいくと、リーダテープに引張力が作用する。このとき、新規のリーダテープは、長手方向に比べて幅方向あるいは斜め方向に伸縮しやすいことから、リーダピンをリーダピンクリップに嵌め込んでいるあいだにリーダテープが幅方向や斜め方向に伸縮し、その結果、しわＷが発生すると推測された。本発明は、かかる推測に基づいて創案されたものである。
【０００８】
請求項１に係る発明は、リーダテープの先端部にリーダピンを取り付けるリーダピン取付装置であって、前記リーダテープの先端部を突出させた状態で該リーダテープを吸着して保持する吸着機構部と、前記リーダテープの先端部を挟んでリーダピンとリーダピンクリップとを係合させるクランパ機構部と、を備え、前記吸着機構部は、前記リーダテープの先端部を挟んでリーダピンとリーダピンクリップとを係合させるときに、前記リーダテープが長手方向に移動可能な吸着力で前記リーダテープを保持することを特徴とする。
【０００９】
かかる構成によれば、吸着機構部は、リーダテープの先端部を挟んでリーダピンとリーダピンクリップとを係合させるときに、リーダテープが長手方向に移動可能な吸着力でリーダテープを保持していることから、リーダピンにリーダピンクリップを係合させる（嵌め込む）と、リーダテープが引っ張られて長手方向に移動する。そのため、リーダテープの幅方向や斜め方向にひずみが集中することがない。その結果、リーダテープの変形が抑制され、しわが発生し難くなる。
【００１０】
なお、かかるリーダピン取付装置は、特に、幅方向の弾性係数に比較して長手方向の弾性係数が大きいリーダテープに対して用いる場合に効果的である。
【００１１】
請求項２に係る発明は、請求項１に記載のリーダピン取付装置であって、前記吸着機構部は、リーダテープを長手方向に引いたときに０．３〜１．４Ｎの引張抵抗力が生じる吸着力で前記リーダテープを保持することを特徴とする。
【００１２】
ここで、「引張抵抗力」とは、吸着機構部に吸着された状態のリーダテープを、徐々に力を大きくしながら吸着面と平行な方向に引っ張った場合に、リーダテープがちょうど動き始めるときの力の大きさのことである。
発明者らの研究によれば、１．４Ｎを超える引張抵抗力が生じるようにリーダテープを吸着した状態で、リーダピンにリーダピンクリップを取り付けるとしわが発生し、０．３Ｎ未満にすると、リーダテープをしっかりと保持することができず、取付作業中にリーダテープが吸着機構部から剥れてしまうことが分かった。かかる引張抵抗力と吸着力との関係については、事前実験などを行うことによって求めることができる。
【００１３】
なお、吸着機構部の吸着力を、引張抵抗力が前記した数値範囲となるように設定すると、従来のリーダテープにリーダピンを取り付ける場合にもしわが発生し難くなる効果があることが判明した。すなわち、リーダピンにリーダピンクリップを係合させる際に、リーダピンとリーダピンクリップの相対位置が少しでもずれていると、従来のリーダテープにおいてもしわが発生することがあったが、前記のように設定すると、ずれの許容範囲が大きくなり、従来よりも大きなずれが生じていてもしわが発生しなくなった。そのため、リーダピンの取付不良の発生率を低減させることが可能となり、ひいては生産性の向上を図ることが可能となる。
【００１４】
また、幅方向の弾性係数よりも長手方向の弾性係数の方が大であるリーダテープに対して本発明に係るリーダピン取付装置を適用するのが好適である。なお、リーダテープの弾性係数の比率は、長手方向の弾性係数を１．０とした場合に幅方向の弾性係数が０．９５〜０．７８であるのが好適である。また、本発明は、表面粗さが１０〜６０ｎｍ程度であるリーダテープに適用するのが好適である。また、本発明は、厚みが５〜２０μｍ程度であるリーダテープに適用するのが好適である。
【００１５】
請求項４に係る発明は、各リールから引き出された磁気テープおよびリーダテープをそれぞれ切断し、切断された磁気テープの接合端とリーダテープの接合端とを突き合わせてスプライステープにより接合すると共に、接合されたリーダテープを所定長さに切断する接合機構部と、所定長さに切断されたリーダテープの先端部をはみ出させた状態で該リーダテープを吸着して搬送する搬送吸着機構部と、搬送されたリーダテープの先端部を挟んでリーダピンクリップとリーダピンとを係合させるクランパ機構部とを備えた磁気テープの先端部処理装置であって、前記搬送吸着機構部は、リーダテープを吸着可能に構成され、かつ、前記接合機構部に連続する始端位置から前記クランパ機構部に臨む終端位置へ移動可能に構成された吸着部材を有し、前記吸着部材は、前記リーダテープの先端部を挟んでリーダピンとリーダピンクリップとを係合させるときに、前記リーダテープが長手方向に移動可能な吸着力で前記テープを保持することを特徴とする。
【００１６】
かかる構成によれば、前記吸着部材は、前記リーダテープの先端部を挟んでリーダピンとリーダピンクリップとを係合させるときに、前記リーダテープが長手方向に移動可能な吸着力で前記リーダテープを保持することから、リーダピンにリーダピンクリップを嵌め込むと、リーダテープが引っ張られて長手方向に移動する。そのため、リーダテープの幅方向や斜め方向にひずみが集中することがない。その結果、リーダテープの変形が抑制され、しわが発生し難くなる。
【００１７】
請求項５に係る発明は、請求項４に記載の磁気テープの先端部処理装置であって、前記搬送吸着機構部は、前記接合機構部から前記クランパ機構部へ前記リーダテープを搬送するときの吸着力よりも、前記リーダテープの先端部に前記リーダピンと前記リーダピンクリップとを係合させるときの吸着力の方が小さくなるように、前記吸着部材の吸着力を制御する吸着力制御部をさらに有することを特徴とする。
【００１８】
かかる構成によれば、前記搬送吸着機構部は、前記吸着部材の吸着力を制御する吸着力制御部をさらに有することから、例えば搬送時とクランプ時で、吸着力を変更することができる。そのため、搬送時においてはリーダテープが剥がれないように吸着力を強め、クランプ時にはリーダテープにしわが発生しないように吸着力を弱める（低下させる）ことができる。
【００１９】
請求項６に係る発明は、リーダテープの先端部をはみ出させた状態で該リーダテープを吸着して保持する吸着機構部と、前記リーダテープの先端部を挟んでリーダピンとリーダピンクリップとを係合させるクランパ機構部と、を備えるリーダピン取付装置を用いて前記リーダテープの先端部に前記リーダピンを取り付けるリーダピン取付方法であって、前記クランパ機構部に把持されたリーダピンとリーダピンクリップとの間に吸着機構部からはみ出したリーダテープの先端部を配置する第１工程と、前記リーダテープの先端部を挟んでリーダピンとリーダピンクリップとを係合させる第２工程と、を含み、前記第２工程において、前記リーダテープの先端部を挟んでリーダピンとリーダピンクリップとを係合させるときに、前記吸着機構部に保持されているリーダテープを、前記リーダピンに向かって移動させることを特徴とするリーダピン取付方法である。
【００２０】
かかる方法によれば、前記リーダテープの先端部を挟んでリーダピンとリーダピンクリップとを係合させるときに、前記吸着機構部に保持されているリーダテープを、前記リーダピンに向かって移動させることから、リーダテープに生じる引張力が逃がされるので、リーダテープに過大な引張力が生じることがなく、リーダテープにひずみやしわが生じ難くなる。
【００２１】
なお、リーダテープをリーダピンに向かって移動させる構成は、とくに限定されるものではなく、例えば、吸着機構部による吸着力を弱めることにより長手方向に移動可能にリーダテープを保持しても良いし、例えば、リーダテープは吸着機構部の吸着部材に固定しつつ、該吸着部材自体をリーダピンに近づくように移動させても良い。
【発明の効果】
【００２２】
本発明によれば、テープにリーダピンを取り付ける際にしわが発生し難いリーダピン取付装置および磁気テープの先端部処理装置ならびにリーダピン取付方法を提供することができる。これにより、不良品の発生を抑制し、磁気テープカートリッジの生産性を向上させることができる。
【発明を実施するための最良の形態】
【００２３】
以下、図面を参照して本発明に係る磁気テープの先端部処理装置の実施の形態を説明する。説明において、同一の要素には同一の番号を付し、重複する説明は省略する。図１は一実施形態に係る磁気テープの先端部処理装置の全体構成の概略を示す正面図、図２は図１に示した接合機構部および搬送吸着機構部を構成する固定吸着ブロック、第１移動吸着ブロック、第２移動吸着ブロックおよび搬送吸着ブロックの構造を示す斜視図、図３は図１に示したクランパ機構部の構造を示す斜視図、図４は図２に示した固定吸着ブロック、第１移動吸着ブロック、第２移動吸着ブロックおよび搬送吸着ブロックの作用を工程順に示す平面図である。
【００２４】
一実施形態に係る磁気テープの先端部処理装置Ａは、磁気テープカートリッジＣの組立ラインにおいて、磁気テープＭＴの先端部にリーダテープＬＴを接合し、リーダテープＬＴの先端部にリーダピンＬＰを装着するための装置である。すなわち、磁気テープの先端部処理装置Ａは、特許請求の範囲にいう「リーダピン取付装置」を含んで構成されている。この先端部処理装置Ａは、図１に示すように、磁気テープＭＴが巻装されたリールＲを内蔵する磁気テープカートリッジＣの装着部１、リーダテープＬＴが巻装された供給リール２、磁気テープＭＴの先端部にリーダテープＬＴを接合するための接合機構部３、接合されたリーダテープＬＴの先端部を搬送する搬送吸着機構部４、リーダテープＬＴの先端部にリーダピンＬＰ（図５参照）を装着するためのクランパ機構部５などをパネル６上に備えて構成されている。
【００２５】
前記装着部１は、例えばパネル６の右側中央部に配置されている。この装着部１は、磁気テープＭＴの引出口を左下に向けた状態で磁気テープカートリッジＣを着脱自在に装着できるように構成されている。一方、前記供給リール２は、例えばパネル６の左側上部に配置されている。この供給リール２の下方には、リーダテープＬＴを供給リール２から前記接合機構部３へ案内するガイドローラ群７が配設されている。
【００２６】
前記ガイドローラ群７は、供給リール２から所定長さだけリーダテープＬＴを引き出して接合機構部３へ供給するための２個の揺動ローラ７Ａ，７Ａを備えている。２個の揺動ローラ７Ａ，７Ａは、その間に配置された固定ローラ７Ｂに対し、供給リール２の中心付近を揺動支点Ｏとして接近、離間するように構成されている。そして、この２個の揺動ローラ７Ａ，７Ａは、固定ローラ７Ｂから離間することで、固定ローラ７Ｂとの間に巻回されたリーダテープＬＴを供給リール２から所定長さだけ引き出し、固定ローラ７Ｂに接近することで、引き出したリーダテープＬＴを所定長さだけ前記接合機構部３へ供給できるように構成されている。
【００２７】
前記接合機構部３は、前記装着部１に装着された磁気テープカートリッジＣ内のリールＲから引き出される磁気テープＭＴおよび前記供給リール２から引き出されるリーダテープＬＴをそれぞれ切断し、切断された磁気テープＭＴの接合端とリーダテープＬＴの接合端とを突き合わせてスプライステープにより接合すると共に、接合されたリーダテープＬＴを所定長さに切断する機能を有する。この接合機構部３は、例えばパネル６の中央部に配置されており、図２および図４に示すような固定吸着ブロック３１、第１移動吸着ブロック３２および第２移動吸着ブロック３３を備えると共に、図１に示すようなスプライステープの貼着部３４を備えている。
【００２８】
図２および図４に示すように、前記固定吸着ブロック３１は、磁気テープＭＴおよびリーダテープＬＴの幅寸法に合致した幅のガイド溝３１Ａが上面に形成された前後長の短いブロックであり、そのガイド溝３１Ａの底面には、磁気テープＭＴおよびリーダテープＬＴを吸着するための複数の負圧吸引孔Ｈが開口されている。なお、各負圧吸引孔Ｈは、図示しない切換バルブを介して負圧供給源に連通されており、切換バルブの作動に応じて吸引負圧の供給がオン・オフされる。このような構造により、固定吸着ブロック３１は、磁気テープＭＴおよびリーダテープＬＴをそれぞれ幅方向に位置決めして吸着可能となっている。
【００２９】
前記第１移動吸着ブロック３２および第２移動吸着ブロック３３は、図示の例では左右に並べて一体に構成されており、その上面には、前記固定吸着ブロック３１のガイド溝３１Ａと同一の幅および深さを有するガイド溝３２Ａおよびガイド溝３３Ａが左右に並べて平行に形成されている。この第１移動吸着ブロック３２および第２移動吸着ブロック３３は、前記固定吸着ブロック３１に較べて前後長が長く設定されており、各ガイド溝３２Ａ，３３Ａの底面には、前記負圧吸引孔Ｈと同様の複数の負圧吸引孔Ｈがそれぞれ開口されている。このような構造により、第１移動吸着ブロック３２は磁気テープＭＴを幅方向に位置決めして吸着でき、第２移動吸着ブロック３３はリーダテープＬＴを幅方向に位置決めして吸着できるようになっている。
【００３０】
ここで、前記のように一体に構成された第１移動吸着ブロック３２および第２移動吸着ブロック３３は、前記固定吸着ブロック３１の一端にカッタ挿通用の隙間ＣＬを開けて連続するように配置されており、図示しないエアシリンダ等のアクチュエータによって左右に往復移動可能に構成されている。すなわち、第１移動吸着ブロック３２は、そのガイド溝３２Ａが固定吸着ブロック３１のガイド溝３１Ａに一直線状に連続する作業位置から幅方向の一方（手前側）の退避位置に移動可能に構成され、第２移動吸着ブロック３３は、そのガイド溝３３Ａが前記ガイド溝３１Ａに一直線状に連続する作業位置から幅方向の他方（奥側）の退避位置に移動可能に構成されている。
【００３１】
図１に示すように、前記スプライステープの貼着部３４は、スプライステープ（図示省略）が巻装された供給リール３４Ａと、この供給リール３４Ａからスプライステープを所定量ずつ巻き取ってその表面の非接着面を吸着する吸着ローラ３４Ｂと、この吸着ローラ３４Ｂの周面に吸着されたスプライステープを図４の（ｃ）に示すような短い複数のスプライステープＳＴに順次切断するカッタ（図示省略）などを有し、これらはエアシリンダ３４Ｃにより上下に移動可能に構成された支持パネル３４Ｄ上に設置されている。
【００３２】
前記吸着ローラ３４Ｂは、通気性および弾性のあるスポンジ状部材で周面が形成されており、その周面に作用する吸引負圧により複数のスプライステープＳＴを吸着して弾性的に支持する。そして、この吸着ローラ３４Ｂは、前記エアシリンダ３４Ｃの作動により支持パネル３４Ｄと共に下方に移動することで、その周面に吸着された短いスプライステープＳＴの接着面を前記固定吸着ブロック３１のガイド溝３１Ａと第２移動吸着ブロック３３のガイド溝３３Ａとに跨る部分に弾性的に押圧するように構成されている。
【００３３】
前記搬送吸着機構部４は、前記接合機構部３により所定長さに切断されたリーダテープＬＴの先端部を除く先端部付近を吸着して搬送する機能を有する。そのための構造として、搬送吸着機構部４は、図２および図４に示すような搬送吸着ブロック４１を備えている。この搬送吸着ブロック４１は、前記固定吸着ブロック３１のガイド溝３１Ａと同一の幅および深さを有するガイド溝４１Ａが上面に形成された前後長の長いブロックであり、そのガイド溝３１Ａの底面には、前記負圧吸引孔Ｈと同様の複数の負圧吸引孔Ｈが開口されている。そして、この搬送吸着ブロック４１は、前記固定吸着ブロック３１の他端に連続する始端位置、すなわち、そのガイド溝４１Ａが固定吸着ブロック３１のガイド溝３１Ａに一直線状に連続する始端位置から前記クランパ機構部５（図１参照）に臨む終端位置へと図示しないエアシリンダ等の駆動手段により移動可能に構成されている。
【００３４】
また、搬送吸着ブロック４１の負圧吸引孔Ｈは、負圧供給源たる吸引器とセンサと制御装置などから構成される吸着力制御部に接続されており、搬送吸着ブロック４１の上に載置されたリーダテープＬＴ又は磁気テープＭＴの吸着力を所定のタイミングで変化させることができるようになっている。変化させるタイミングは、例えば図示しないセンサとマイクロプロセッサなどからなる演算処理装置によって計算されて制御される。
なお、本実施形態においては、搬送吸着機構部４が特許請求の範囲にいう「吸着機構部」を兼ねている。また、搬送吸着ブロック４１が、特許請求の範囲にいう「吸着部材」に相当する。
【００３５】
前記クランパ機構部５は、図３に示すように、前記搬送吸着機構部４の搬送吸着ブロック４１により搬送されるリーダテープＬＴの先端部（先端の一定長さ部分）を挟んでリーダピンクリップＬＣとリーダピンＬＰとを係合させる機能を有する。そのための構造として、クランパ機構部５は、リーダピンクリップＬＣを上面部に吸着するクリップ吸着ブロック５１と、リーダピンＬＰを下面部に吸着するリーダピン吸着ブロック５２とを備えている。クリップ吸着ブロック５１およびリーダピン吸着ブロック５２は、図１に示すように上下に対向して配置されており、クリップ吸着ブロック５１はエアシリンダ５３により上方に移動可能に支持され、リーダピン吸着ブロック５２はエアシリンダ５４により下方に移動可能に支持されている。そして、リーダピンＬＰを吸着したリーダピン吸着ブロック５２が下降し、リーダピンクリップＬＣを吸着したクリップ吸着ブロック５１が上昇することで、リーダテープＬＴの先端部（先端の一定長さ部分）を挟んでリーダピンクリップＬＣとリーダピンＬＰとが係合するように構成されている。
【００３６】
なお、詳細な説明は省略するが、一実施形態の磁気テープの先端部処理装置Ａには、図１に示すように、前記接合機構部３により切断された磁気テープＭＴの先端部の切り屑を吸引して除去する吸引排除ポッド８が接合機構部３の左側に配置してパネル６上に設置されている。また、図示を省略したが、磁気テープカートリッジＣのリールＲからクランパ機構部５、搬送吸着機構部４、接合機構部３を通過して吸引排除ポッド８の左側方まで磁気テープＭＴを引き出す磁気テープ引出機構が設けられている。
【００３７】
以上のように構成された一実施形態に係る磁気テープの先端部処理装置Ａにおいては、例えば図４の（ａ）に示すように、接合機構部３の第１移動吸着ブロック３２が固定吸着ブロック３１の幅方向の一方（手前側）の退避位置に移動し、第２移動吸着ブロック３３が固定吸着ブロック３１の一端に隙間ＣＬ（図２参照）を開けて連続する作業位置に移動し、搬送吸着機構部４の搬送吸着ブロック４１が固定吸着ブロック３１の他端に連続する始端位置に移動した初期状態で作業が開始される。
【００３８】
まず、図１に示す供給リール２からガイドローラ群７を巻回して引き出されたリーダテープＬＴの先端部が図４の（ａ）に示すように第２移動吸着ブロック３３、固定吸着ブロック３１および搬送吸着ブロック４１の各ガイド溝３３Ａ，３１Ａ，４１Ａ内に引き込まれる。続いて、各ガイド溝３３Ａ，３１Ａ，４１Ａの底面に開口する複数の負圧吸引孔Ｈに吸引負圧が作用することで、リーダテープＬＴの先端部が幅方向に位置決めされて吸着される。この状態で第２移動吸着ブロック３３と固定吸着ブロック３１との隙間ＣＬに図示しないカッタが挿通されることでリーダテープＬＴの先端部が切断される。その結果、第２移動吸着ブロック３３に吸着されたリーダテープＬＴには、磁気テープＭＴに対する接合端が形成される。
【００３９】
なお、リーダテープＬＴの先端部が切断されると、固定吸着ブロック３１および搬送吸着ブロック４１は、複数の負圧吸引孔Ｈへの吸引負圧の供給が解除されることで、リーダテープＬＴの吸着を解除する。そこで、これらに吸着されていたリーダテープＬＴの切り屑は、適宜の手段で除去される。
【００４０】
その後、図４の（ｂ）に示すように、接合機構部３の第２移動吸着ブロック３３がリーダテープＬＴの接合端を含む部分を吸着した状態で作業位置から退避位置に移動し、代わりに第１移動吸着ブロック３２が退避位置から作業位置に移動する。すると、磁気テープカートリッジＣのリールＲ（図１参照）から図示しない磁気テープ引出機構により引き出された磁気テープＭＴの先端部が搬送吸着ブロック４１、固定吸着ブロック３１および第１移動吸着ブロック３２の各ガイド溝４１Ａ，３１Ａ，３２Ａ内に引き込まれる。
【００４１】
続いて、各ガイド溝４１Ａ，３１Ａ，３２Ａの底面に開口する複数の負圧吸引孔Ｈに吸引負圧が作用することで、磁気テープＭＴの先端部が幅方向に位置決めされて吸着される。この状態で固定吸着ブロック３１と第１移動吸着ブロック３２との隙間ＣＬに図示しないカッタが挿通されることで磁気テープＭＴの先端部が切断される。その結果、固定吸着ブロック３１に吸着された磁気テープＭＴには、リーダテープＬＴに対する接合端が形成される。
【００４２】
なお、磁気テープＭＴの先端部が切断されると、第１移動吸着ブロック３２は、複数の負圧吸引孔Ｈへの吸引負圧の供給が解除されることで、磁気テープＭＴの吸着を解除する。そして、この第１移動吸着ブロック３２に吸着されていた磁気テープＭＴの切り屑は、吸引排除ポッド８に吸引されて排除される。
【００４３】
続いて、図４の（ｃ）に示すように、接合機構部３の第１移動吸着ブロック３２が作業位置から退避位置に移動し、代わりに第２移動吸着ブロック３３がリーダテープＬＴの接合端を含む部分を吸着した状態で退避位置から作業位置に移動する。これにより、第２移動吸着ブロック３３に吸着されたリーダテープＬＴの接合端が固定吸着ブロック３１に吸着された磁気テープＭＴの接合端に突き合わせられる。
【００４４】
すると、図１に示す貼着部３４の吸着ローラ３４Ｂがエアシリンダ３４Ｃの作動により支持パネル３４Ｄと共に下方に移動し、その周面に吸着した短いスプライステープＳＴの接着面を磁気テープＭＴの接合端とリーダテープＬＴの接合端とに跨って固定吸着ブロック３１のガイド溝３１Ａと第２移動吸着ブロック３３のガイド溝３３Ａに押圧する。これにより、磁気テープＭＴの接合端とリーダテープＬＴの接合端とに跨ってスプライステープＳＴが接着され、磁気テープＭＴにリーダテープＬＴが接合される。
【００４５】
磁気テープＭＴにリーダテープＬＴが接合されると、搬送吸着ブロック４１および固定吸着ブロック３１は、複数の負圧吸引孔Ｈへの吸引負圧の供給が解除されることで、磁気テープＭＴの吸着を解除する。また、第２移動吸着ブロック３３は、複数の負圧吸引孔Ｈへの吸引負圧の供給が解除されることで、リーダテープＬＴの吸着を解除する。そして、この状態で図１に示す磁気テープカートリッジＣのリールＲに磁気テープＭＴが所定長さ巻戻されることで、ガイドローラ群７の２個の揺動ローラ７Ａ，７Ａが固定ローラ７Ｂ側へ揺動する。そして、図４の（ｄ）に示すように、所定長さのリーダテープＬＴが第２移動吸着ブロック３３、固定吸着ブロック３１および搬送吸着ブロック４１の各ガイド溝３３Ａ，３１Ａ，４１Ａ（図２参照）内に引き込まれる。
【００４６】
続いて、各ガイド溝３３Ａ，３１Ａ，４１Ａの底面に開口する複数の負圧吸引孔Ｈに吸引負圧が作用することで、所定長さ引き出されたリーダテープＬＴが幅方向に位置決めされて再び吸着される。この状態で第２移動吸着ブロック３３と固定吸着ブロック３１との隙間ＣＬに図示しないカッタが挿通されることで、磁気テープＭＴに接合されたリーダテープＬＴが所定長さに切断される。そして、第２移動吸着ブロック３３に吸着されたリーダテープＬＴには、磁気テープＭＴに対する新たな接合端が形成される。
【００４７】
その後、図４の（ｅ）に示すように、接合機構部３の第２移動吸着ブロック３３がリーダテープＬＴを吸着した状態で作業位置から退避位置に移動し、代わりに第１移動吸着ブロック３２が退避位置から作業位置に移動する。また、固定吸着ブロック３１の複数の負圧吸引孔Ｈへの吸引負圧の供給が解除されることで、固定吸着ブロック３１は、切断されたリーダテープＬＴの先端部の吸着を解除する。そして、搬送吸着機構部４の搬送吸着ブロック４１がリーダテープＬＴの先端部（先端の一定長さ部分）を突出させた状態で先端部付近を吸着し、図示しないエアシリンダ等の駆動手段により始端位置から終端位置に移動することで、所定長さに切断されたリーダテープＬＴの先端部（先端の一定長さ部分）がクランパ機構部５へ搬送される。
【００４８】
リーダテープＬＴの先端部（先端の一定長さ部分）がクランパ機構部５へ搬送されると、図３に示すように、リーダピンＬＰを吸着したリーダピン吸着ブロック５２がエアシリンダ５４の作動により下降し、リーダピンクリップＬＣを吸着したクリップ吸着ブロック５１がエアシリンダ５３の作動により上昇する。これにより、リーダテープＬＴの先端部（先端の一定長さ部分）を挟んでリーダピンクリップＬＣとリーダピンＬＰとが係合され、リーダテープＬＴの先端部にリーダピンＬＰが装着される。そして、このリーダピンＬＰが装着されたリーダテープＬＴは、図１に示す磁気テープカートリッジＣのリールＲに巻き戻される。こうして、磁気テープカートリッジＣの磁気テープＭＴに対するリーダテープＬＴの接続作業と、リーダテープＬＴに対するリーダピンＬＰの装着作業とが連続して効率的に行われる。
【００４９】
つづいて、搬送吸着ブロック４１の端部からはみ出したリーダテープＬＴの先端部ＬＴａに、しわができないようにリーダピンＬＰとリーダピンクリップＬＣとを係合させて取り付ける方法について図５を参照して説明する。
【００５０】
図５は、リーダテープの先端部を挟んでリーダピンとリーダピンクリップとを係合させる様子を段階的に示した断面図である。
はじめに、図５（ａ）に示すように、リーダテープＬＴの先端部ＬＴａが搬送吸着ブロック４１によってリーダピンＬＰとリーダピンクリップＬＣの間に配置される（第１工程）。このとき、リーダテープＬＴは、搬送時に搬送吸着ブロック４１から剥れない程度の吸着力で吸着されている。
【００５１】
リーダテープＬＴの先端部ＬＴａがリーダピンＬＰとリーダピンクリップＬＣの間に配置されたことを図示しないセンサが検知すると、負圧吸引孔Ｈに接続された吸着力制御部は、搬送吸着ブロック４１によってリーダテープＬＴに付与される引張抵抗力がリーダピンＬＰとリーダピンクリップＬＣとを係合させるときにリーダテープＬＴに与える引張力と略同じか若干小さくなるように、搬送吸着ブロック４１の吸着力を低下させる。搬送吸着ブロック４１の吸着力は、後記する実施例から、引張抵抗力が０．３Ｎ〜１．４Ｎとなるように調節するのが好適であるが、安全をみて略中央値である０．９Ｎ程度に設定するのがさらに好適である。
なお、どの程度の吸着力のときにどの程度の引張抵抗力が生じるかは、事前実験などにより予め求めておくのがよい。かかる事前実験によって求めておいた吸着力と引張抵抗力の関係をマップにして吸着力制御部のメモリに記憶し、制御に利用するのが好適である。
【００５２】
搬送吸着ブロック４１の吸着力が調節されると、図５（ａ）に示すように、リーダピンＬＰとリーダピンクリップＬＣがリーダテープＬＴに接近し始める（第２工程）。なお、吸着力の調節は、０．１ｓｅｃ程度の短い時間で行うことが可能であるので、リーダピンＬＰ及びリーダピンクリップＬＣの移動と吸着力の調節とを同時に開始しても良い。
【００５３】
そして、図５（ｂ）に示すように、リーダピンＬＰがリーダピンクリップＬＣの溝の内部に嵌り込み始めると、リーダピンＬＰに巻きつけられるリーダテープＬＴの長さとリーダピンクリップＬＣの溝の開口幅との差分だけ、リーダテープＬＴがリーダピンＬＰ（またはリーダピンクリップＬＣ）に向かって引っ張られることとなる。換言すれば、リーダテープＬＴに引張力が作用する。
【００５４】
このとき、リーダテープＬＴは、リーダテープＬＴに生じる引張力と殆ど同じかそれよりも若干小さい大きさの引張抵抗力を搬送吸着ブロック４１によって付与されている。そのため、リーダテープＬＴは、適度な緊張状態を保ったままリーダピンＬＰ（またはリーダピンクリップＬＣ）に向かって移動することとなる。
【００５５】
最終的に、リーダピンＬＰは、図５（ｃ）に示すように、リーダピンクリップＬＣの溝の中にはめ込まれるが、リーダテープＬＴが移動することにより、リーダテープＬＴに作用する引張力が抑制されることから、当該引張力によってリーダテープＬＴに予定外のひずみや変形が生じることがなくなる。すなわち、リーダテープＬＴに過大な引張力が働かなくなり、リーダテープＬＴにしわが生じ難くなる。
【実施例】
【００５６】
以下、長手方向と幅方向の弾性係数が略等しい従来のリーダテープと、長手方向に比較して幅方向の弾性係数が小さい新規のリーダテープに対して、本発明に係るリーダピンの取付装置及び取付方法を適用した実施例について説明する。
【００５７】
まず、従来のリーダテープと新規のリーダテープの物性値の相異について説明する。
【００５８】
表１は、従来のリーダテープと新規のリーダテープの物性値をまとめたものである。
表１から分かるように、新規のリーダテープは、現行のリーダテープと比較して長手方向の弾性係数（ＭＤ）と幅方向の弾性係数（ＴＤ）との差が大きくなっている。また、「巻芯写り対策」として、リーダテープの表面粗さが大きくなっている。なお、リーダテープの幅は従来、新規ともに１／２インチである。
【００５９】
【表１】
2006228334.tif 000003
【００６０】
ここで、従来のリーダテープを用いた場合においては、リーダピンおよびリーダピンクリップの相対的な位置のずれ（クリップ吸着ブロック５１とリーダピン吸着ブロック５２の動作のブレ）がなるべく小さくなるように設定し、リーダテープに付与される引張抵抗力が４．１Ｎ程度になるように吸着力を設定すると、しわの発生を防止することができた。
そこで、以下の実験では、リーダピンおよびリーダピンクリップの相対的な位置のずれを従来よりも大きくして（例えばリーダピンに対してリーダピンクリップが斜めに打ち込まれるように設定して）、従来のリーダテープでもしわが発生するようにした上で、リーダテープに付与される引張抵抗力が５段階（５．９Ｎ，４．１Ｎ，２．１Ｎ，１．４Ｎ，０．３Ｎ）に変化するように搬送吸着ブロック４１の吸着力を調節することとした。
【００６１】
（実施例１）
実施例１では、表１に示すような新規のリーダテープに対して、リーダテープの搬送時の引張抵抗力を４．１Ｎとし、リーダピンおよびリーダピンクリップの係合時の引張抵抗力を上記のように５段階に変化させて実験を行った。その結果、引張抵抗力を１．４Ｎ，０．３Ｎとした場合にリーダテープＬＴの先端部におけるしわの発生を防止することができた。
なお、この実験において、搬送吸着ブロック４１の吸引力を、引張抵抗力が４．１Ｎから１．４Ｎになるまで変化させるのに要した時間は、計測の結果、０．１ｓｅｃ程度であり、作業効率に影響しないことが判明した。
【００６２】
（実施例２）
実施例２では、表１に示すような従来のリーダテープに対して、リーダテープの搬送時の引張抵抗力を４．１Ｎとし、リーダピンおよびリーダピンクリップの係合時の引張抵抗力を上記のように５段階に変化させて実験を行った。その結果、引張抵抗力を２．１Ｎ，１．４Ｎ，０．３Ｎとした場合にリーダテープＬＴの先端部におけるしわの発生を防止することができた。
上記の実験結果を表２に示す。
【００６３】
【表２】
2006228334.tif 000004
【００６４】
以上の実験結果から、リーダテープの引張抵抗力を小さくして、リーダピンの係合時にリーダテープをリーダピンの方向に移動させることにより、しわの発生を抑えることができることが分かる。
【００６５】
以上、本発明を実施するための最良の形態について図面を参照して説明したが、本発明はかかる実施形態に限定されるものではなく、本発明の主旨を逸脱しない範囲で適宜変更が可能である。
【００６６】
例えば、本実施形態においては、搬送吸着ブロック４１の吸着力を調節することにより、リーダテープＬＴを長手方向に移動可能としたが、これに限られるものではなく、搬送吸着ブロック４１ごとリーダテープＬＴをリーダピンＬＰに近づくように移動させる構成としてもよい。
【００６７】
具体的には、リーダピンＬＰとリーダピンクリップＬＣとの間にリーダテープＬＴの先端部が配置された段階で、リーダピンＬＰに向かって移動可能なように搬送吸着ブロック４１をゴムやばねで弾性支持するのが好適である。
また、エアシリンダを用いて搬送吸着ブロック４１を移動させている場合には、リーダピンとリーダピンクリップを係合させるタイミングに合わせてエアシリンダを作動させて搬送吸着ブロック４１を移動させるようにしてもよい。また、エアシリンダとは別の位置決めユニット（例えばボールねじ等）を用いて係合時における搬送吸着ブロック４１の移動を制御してもよい。
【００６８】
また、本実施形態においては、リーダテープＬＴと磁気テープＭＴの接合時およびリーダテープＬＴの搬送時における搬送吸着ブロック４１の吸着力に比較して、リーダテープの先端部ＬＴａにリーダピンＬＰを係合させるときの搬送吸着ブロック４１の吸着力を小さくするように説明したが、本発明はこれに限られるものではなく、リーダテープＬＴと磁気テープＭＴの接合時およびリーダテープＬＴの搬送時においてリーダテープＬＴが搬送吸着ブロック４１に対してずれたり剥れたりしなければ、リーダピンＬＰの係合時に生じる引張力によってリーダテープＬＴが長手方向に移動可能な吸着力で、当該リーダテープＬＴをはじめから保持しておいてもよい。
【００６９】
また、本実施形態においては、磁気テープとリーダテープの接合装置と、リーダピンの取付装置とを一つにまとめて磁気テープの先端部処理装置Ａとしたが、これに限られるものではなく、リーダピン取付装置単独で構成してもよい。
【００７０】
また、本発明におけるリーダテープは、情報が記録される磁気テープをカートリッジから引き出すために該磁気テープの先端に取り付けられるテープでればどのようなテープでもよく、例えばテープの両面ともに非磁性層で構成されているものでもよいし、一方の面が磁性層で構成されているものでもよい。
【００７１】
また、本実施形態に係る磁気テープの先端部処理装置Ａにおける接合機構部（図２参照）は、単なる例示であり、リーダテープと磁気テープとを接続することができるものであればどのようなものでも良いことは言うまでもない。
【図面の簡単な説明】
【００７２】
【図１】一実施形態に係る磁気テープの先端部処理装置の全体構成の概略を示す正面図である。
【図２】図１に示した接合機構部および搬送吸着機構部を構成する固定吸着ブロック、第１移動吸着ブロック、第２移動吸着ブロックおよび搬送吸着ブロックの構造を示す斜視図である。
【図３】図１に示したクランパ機構部の構造を示す斜視図である。
【図４】図２に示した固定吸着ブロック、第１移動吸着ブロック、第２移動吸着ブロックおよび搬送吸着ブロックの作用を工程順に示す平面図である。
【図５】リーダテープの先端部を挟んでリーダピンとリーダピンクリップとを係合させる様子を段階的に示した断面図である。
【図６】リーダピンとリーダピンクリップとを取り付けたリーダテープの先端部にしわが発生した状態を示した斜視図である。
【符号の説明】
【００７３】
１      装着部
２      供給リール
３      接合機構部
４      搬送吸着機構部
４１    搬送吸着ブロック
４１Ａ  ガイド溝
５      クランパ機構部
５１    クリップ吸着ブロック
５２    リーダピン吸着ブロック
６      パネル
７      ガイドローラ群
８      吸引排除ポッド
Ｈ      負圧吸引孔
ＬＴ    リーダテープ
ＬＣ    リーダピンクリップ
ＬＰ    リーダピン
ＭＴ    磁気テープ
【図１】
2006228334.tif 000005
【図２】
2006228334.tif 000006
【図３】
2006228334.tif 000007
【図４】
2006228334.tif 000008
【図５】
2006228334.tif 000009
【図６】
2006228334.tif 000010